(57)【要約】【課題】パンチプレス機用金型において、同じ金型部材を用いて、様々な曲げ加工が可能なパンチプレス金型を提供することを目的とする。【解決手段】複数の第１の短冊片１ａと、この第１の短冊片１ａより短寸の複数の第２の短冊片１ｂとを曲げ形状に合わせて積層して構成したストリッパーインサート１、および複数の第３の短冊片２ａと、この第３の短冊片２ａより短寸の複数の第４の短冊片２ｂとを曲げ形状に合わせて積層して構成したダイ２を備えたパンチプレス機用金型であり、第１、第３の短冊片の積層枚数により様々な曲げ形状の加工が可能になる。【選択図】図１
2006159231.tif 000002
【特許請求の範囲】
【請求項１】
複数の第１の短冊片と当該第１の短冊片より短寸の複数の第２の短冊片とを曲げ形状に合わせて積層して構成したストリッパーインサート、および複数の第３の短冊片と当該第３の短冊片より短寸の複数の第４の短冊片とを曲げ形状に合わせて積層して構成したダイを備えたパンチプレス機用金型。
【請求項２】
複数の第５の短冊片と当該第５の短冊片より短寸の複数の第６の短冊片とを曲げ形状に合わせて積層して構成したパンチ、および複数の第７の短冊片と当該第７の短冊片より短寸の複数の第８の短冊片とを曲げ形状に合わせて積層して構成したダイを備えたパンチプレス機用金型。
【請求項３】
ストリッパーインサートとダイ、またはパンチとダイのクリアランスを調整するスペーサを付加した請求項１また２記載のパンチプレス機用金型。
【発明の詳細な説明】
【技術分野】
【０００１】
本発明は、板状の製品を打ち抜いたり、曲げ加工を行うパンチプレス機用金型に関するものである。
【背景技術】
【０００２】
従来、製品の曲げ幅や逃がし形状を考慮した金型を用いて曲げ加工を行っていた。そのため、異なる製品を加工する際、新しい金型の製作が必要となる。
【０００３】
なお、この出願の発明に関連する先行技術文献情報としては、例えば、特許文献１が知られている。
【特許文献１】特開平９−１２２７８４号公報
【発明の開示】
【発明が解決しようとする課題】
【０００４】
しかしながら、上記従来の金型では、特に異なる曲げ形状の製品を加工するためには、製品の曲げ幅や逃がし形状を考慮して、パンチ、ダイ、ストリッパーインサート、ノックアウトを新たに製作しなければならなく、納期短縮及び低コスト化が難しいという課題を有していた。
【０００５】
本発明は同じ金型部材で異なる曲げ形状の製品を加工するパンチプレス機用金型を提供することを目的とするものである。
【課題を解決するための手段】
【０００６】
上記目的を達成するために、以下の構成を有するものである。
【０００７】
本発明の請求項１に記載の発明は、複数の第１の短冊片と当該第１の短冊片より短寸の複数の第２の短冊片とを曲げ形状に合わせて積層して構成したストリッパーインサート、および複数の第３の短冊片と当該第３の短冊片より短寸の複数の第４の短冊片とを曲げ形状に合わせて積層して構成したダイを備えたパンチプレス機用金型であり、第１、第３の短冊片の積層枚数により様々な曲げ形状の加工が可能になるという作用効果を有する。
【０００８】
請求項２に記載の発明は、複数の第５の短冊片と当該第５の短冊片より短寸の複数の第６の短冊片とを曲げ形状に合わせて積層して構成したパンチ、および複数の第７の短冊片と当該第７の短冊片より短寸の複数の第８の短冊片とを曲げ形状に合わせて積層して構成したダイを備えたパンチプレス機用金型であり、第５、第７の短冊片の積層枚数により様々な曲げ形状の加工が可能になるという作用効果を有する。
【発明の効果】
【０００９】
本発明のパンチプレス機用金型は、ストリッパーインサートとダイ、およびパンチとダイが短冊片の積層物から構成されるものであるため、短冊片を曲げ形状に合わせて積層することにより、様々な曲げ加工が容易にできる。
【発明を実施するための最良の形態】
【００１０】
以下、実施の形態１を用いて、本発明の請求項１〜３記載のパンチプレス機用金型について説明する。図１は本発明によるパンチプレス機用上曲げ金型に用いる部品を示す斜視図である。図２は同上曲げ金型の構成部品を組み立てた時の斜視図である。図１、図２において、１はストリッパーインサート、２はダイである。上記ストリッパーインサート１は、複数の第１の短冊片１ａと、この第１の短冊片１ａより短寸の複数の第２の短冊片１ｂとを積層することにより構成されている。また、上記ダイ２は複数の第３の短冊片２ａと、この第３の短冊片２ａより短寸の複数の第４の短冊片２ｂとを積層することにより構成されている。ここで、上記ストリッパーインサート１およびダイ２を構成する第１〜第４の短冊片１ａ，１ｂ，２ａ，２ｂはその厚みと幅とが同じ寸法であり、長さ寸法のみが異なるものである。そして、上記第１、第３の短冊片１ａ，２ａが夫々ストリッパーインサート、ダイとしての先端形状を有している。
【００１１】
また、図１、図２において、５は板厚調整用スペーサ、６はノックアウト、７はスプリング、８はストリッパープレート、９はダイプレート、１２はストリッパーインサート１とダイ２のクリアランスである。
【００１２】
上記ストリッパーインサート１は第１、第２の短冊片１ａ，１ｂを曲げ形状に合わせて並べ替え、ストリッパープレート８に挿入する。同様に上記ダイ２は第３、第４の短冊片２ａ，２ｂを曲げ形状に合わせて並べ替え、ダイプレート９に挿入する。この時、ストリッパーインサート１とダイ２のクリアランス１２が、被加工材の板厚になる厚さの板厚調整用スペーサ５をストリッパーインサート１の両側に位置するようにストリッパープレート８に挿入する。また、ノックアウト６をダイプレート９に挿入する。このノックアウト６の下にはスプリング７が挿入されており、ノックアウト６は矢印方向１１に摺動する。
【００１３】
図３は被加工材の一例である。１３は被加工材、１３ａは加工前の被加工材形状、１３ｂは加工後の被加工材形状である。図４から図８までは被加工材１３を加工する時の加工動作を示している。図４は加工前の斜視図である。図５は上型が下死点に来た時の斜視図である。図６は下型が上昇している途中の斜視図である。図７は下型が上死点に来た時の斜視図である。図８は加工が終わり初期状態に戻った時の斜視図である。図４において、被加工材１３は位置を固定したまま上型が矢印方向１１に移動し、図５の状態になる。次に被加工材１３および上型は位置を固定したまま、下型が矢印方向１０へ移動を始める。下型が移動中、図６のように、ノックアウト６とストリッパーインサート１に被加工材１３が挟み込まれる。スプリング７の上にあるノックアウト６は下型に対して矢印方向１１へ摺動することができ、下型が矢印方向１０へこれ以上移動しても、ノックアウト６の位置は固定されたままになり、図７の状態になる。以上の動作と逆の動作を行い図８の初期状態にもどる。このように加工後の被加工材形状１３ｂの形状が作られる。
【００１４】
このようにストリッパーインサート１とダイ２とは第１、第３の短冊片１ａ，２ａを様々な順番で並べ替えることが可能であるため、様々な曲げ形状に対応可能となる。また板厚調整用スペーサ５の厚さを変えることにより、様々な板厚の被加工材の加工も可能となり、異なる形状の曲げ加工を行う際、新たに金型部品の加工をすることが不要となり、納期短縮および低コスト化が可能になる。
【００１５】
以上で上方向に曲げる金型について説明したが、下方向は上型と下型の構造及び動作を逆にすることにより可能となる。図９は本発明によるパンチプレス機用下曲げ金型に用いる部品を示す斜視図である。１５はパンチ、１６はダイである。上記パンチ１５は、複数の第５の短冊片１５ａと、この第５の短冊片１５ａより短寸の複数の第６の短冊片１５ｂとを積層することにより構成されている。また、上記ダイ１６は複数の第７の短冊片１６ａと、この第７の短冊片１６ａより短寸の複数の第８の短冊片１６ｂとを積層することにより構成されている。ここで、上記パンチ１５およびダイ１６を構成する第５〜第８の短冊片１５ａ，１５ｂ，１６ａ，１６ｂはその厚みと幅とが同じ寸法であり、長さ寸法のみが異なるものである。そして、上記第５、第７の短冊片１５ａ，１６ａが夫々パンチ、ダイとしての先端形状を有している。１９は板厚調整用スペーサ、２０はストリッパーインサート、２１はスプリング、２２はパンチプレートである。
【００１６】
以上のように本実施の形態によれば、パンチ１５およびダイ１６は短冊片を積層化することにより構成されており、積層する短冊片の枚数を変えることにより様々な曲げ形状の加工が可能である。また板厚調整用スペーサを用いることにより、ストリッパーインサートとダイ、または、パンチとダイとのクリアランスを調整することが可能となり、被加工材の板厚に対応するように容易に調整することができる。
【産業上の利用可能性】
【００１７】
本発明にかかるパンチプレス機用金型は、ストリッパーインサートとダイ、パンチとダイが短冊片から構成されるため、曲げ形状に合わせて短冊片を積層化することにより、様々な曲げ加工ができるという効果を有し、板状部材の曲げ加工などの用途として有用である。
【図面の簡単な説明】
【００１８】
【図１】本発明によるパンチプレス機用上曲げ金型に用いる部品を示す斜視図
【図２】同上曲げ金型の構成部部品を組み立てた時の斜視図
【図３】同被加工材の一例を示す斜視図
【図４】同加工前の斜視図
【図５】同上型が下死点に来た時の斜視図
【図６】同下型が上昇している途中の斜視図
【図７】同下型が上死点に来た時の斜視図
【図８】同加工が終わり初期状態に戻った時の斜視図
【図９】本発明によるパンチプレス機用下曲げ金型に用いる部品を示す斜視図
【符号の説明】
【００１９】
１  ストリッパーインサート
２  ダイ
５  板厚調整用スペーサ
６  ノックアウト
７  スプリング
８  ストリッパープレート
９  ダイプレート
１５  パンチ
１６  ダイ
１９  板厚調整用スペーサ
２０  ストリッパーインサート
２１  スプリング
２２  パンチプレート
【図１】
2006159231.tif 000003
【図２】
2006159231.tif 000004
【図３】
2006159231.tif 000005
【図４】
2006159231.tif 000006
【図５】
2006159231.tif 000007
【図６】
2006159231.tif 000008
【図７】
2006159231.tif 000009
【図８】
2006159231.tif 000010
【図９】
2006159231.tif 000011